(57)【特許請求の範囲】
【請求項１】
電磁誘導作用によって非接触で電力供給を受けると共にデータ送受信を行うためのコイルと、電気的機械的な接触によって電力供給及び制御信号を受けると共にデータ送受信を行うための複数の電極とを備え、モード信号の指定に従って非接触モードまたは接触モードの動作を行うデュアルモード型のＩＣカードにおいて、
前記コイルで電力供給を受けたときはハイレベルの信号を、電力供給がないときはローレベルの信号を、第１のノードに出力するキャリア検出部と、
前記第１のノードの信号レベルを反転する第１のインバータと、
前記電極を介して前記ＩＣカードのリセット状態を解除する制御信号であるリセット解除信号と該ＩＣカードの動作の基本となる制御信号であるクロック信号とが入力され、少なくとも一方が活性化したときにローレベルの信号を出力し、両方が不活性のときにはハイレベルの信号を出力する否定的論理和ゲートと、
第２のノードと接地電位との間に接続され、前記否定的論理和ゲートの出力信号がローレベルのときにオフ状態となり、該出力信号がハイレベルのときにはオン状態となるトランジスタと、
電源電圧と前記第２のノードとの間に並列接続されたクロック信号検出用の抵抗及びキャパシタと、
前記第２のノードの信号レベルを反転する第２のインバータと、
前記第１及び第２のインバータの出力信号と前記リセット解除信号の論理和を前記モード信号として出力する論理和ゲートとを、
備えたモード指定手段を設けたことを特徴とするＩＣカード。
【発明の詳細な説明】
【０００１】
【発明の属する技術分野】
本発明は、カードにＩＣ（集積回路）を埋め込んだＩＣカード、特にコイルの電磁誘導で信号を送受信する非接触モードと、金属電極で接触して信号を送受信する接触モードを備えたデュアルモード型のＩＣカードに関するものである。
【０００２】
【従来の技術】
従来、このような分野の技術としては、例えば次のような文献に記載されるものがあった。
文献：米国特許第 5,206,495号明細書
【０００３】
図２は、前記文献に記載された従来のＩＣカードの概略の構成図である。
このＩＣカードは、接触モード時にカード読み書き装置側の接点に接続され、電源供給を受けると共にデータの送受信をするための接続端子３と、非接触モード時にカード読み書き装置側のコイルと電磁誘導で結合され、電源供給を受けると共にデータの送受信をするためのコイル４，５を有している。
【０００４】
コイル４，５は、スイッチ素子２．１内の電源部２．１．１と、直列並列変換部２．１．４に接続されている。電源部２．１．１は、コイル４，５に誘導された交流信号を整流して直流電圧Ｕ１を生成するもので、この直流電圧Ｕ１が比較器２．１．２の入力端子Ｅ１に与えられるようになっている。また、直流電圧Ｕ１は、直列並列変換部２．１．４に与えられると共に、ダイオードＤ１を介して比較器２．１．２の電源端子Ｅ４に与えられるようになっている。また、直列並列変換部２．１．４は、マルチプレクサ２．１．３に接続されている。
【０００５】
一方、接続端子３の信号線Ｉ１〜Ｉ６は、マルチプレクサ２．１．３に接続されると共に、その内の電源線Ｉ６は、比較器２．１．２の入力端子Ｅ２に接続されると共に、ダイオードＤ２を介してこの比較器２．１．２の電源端子Ｅ４に接続されている。
【０００６】
比較器２．１．２は、２つの入力端子Ｅ１，Ｅ２の電圧を比較して、入力端子Ｅ１の電圧の方が高いときには、マルチプレクサ２．１．３を直列並列変換部２．１．４側に接続し、入力端子Ｅ２の電圧の方が高いときには、マルチプレクサ２．１．３を接続端子３側に接続するための切替信号を出力端子Ｅ３から出力するものである。マルチプレクサ２．１．３には、マイクロプロセッサ２．２が接続されている。
【０００７】
このようなＩＣでは、接触モードで動作する場合、接続端子３を介して電源線Ｉ６から、比較器２．１．２の電源端子Ｅ４に電源が供給されると共に、入力端子Ｅ２に電源電圧が与えられる。この時、コイル４，５に交流信号は誘導されておらず、直流電圧Ｕ１は生成されないので、比較器２．１．２の出力端子Ｅ３から出力される切替信号によって、マルチプレクサ２．１．３は接続端子３側に切り替えられる。これにより、マイクロプロセッサ２．２は、接続端子３を介してカード読み書き装置側と接続される。
【０００８】
また、非接触モードで動作する場合には、コイル４，５に誘導された交流信号が、電源部２．１．１で整流されて直流電圧Ｕ１が生成され、比較器２．１．２の電源端子Ｅ４と入力端子Ｅ１に与えられる。この時、電源線Ｉ６には電源電圧は与えられないので、比較器２．１．２の出力端子Ｅ３から出力される切替信号によって、マルチプレクサ２．１．３は直列並列変換部２．１．４側に切り替えられる。これにより、マイクロプロセッサ２．２は、コイル４，５を介してカード読み書き装置側と電磁的に結合される。
【０００９】
【発明が解決しようとする課題】
しかしながら、従来のＩＣカードでは、次のような課題があった。
このＩＣカードがカード読み書き装置にセットされ、接続端子３を介して接触モードで動作しているときに、コイル４，５に雑音等によって強力な交流信号が誘導された場合、この交流信号が電源部２．１．１で整流されて直流電圧Ｕ１が生成される。ここで、電源部２．１．１で整流された直流電圧Ｕ１が、接続端子３の電源線Ｉ６を介して与えられる電源電圧よりも高くなると、比較器２．１．２の入力端子Ｅ１の電圧が、入力端子Ｅ２の電圧を越える。そして、比較器２．１．２の出力端子Ｅ３から出力される信号によって、マルチプレクサ２．１．３は直列並列変換部２．１．４側に切り替えられる。これにより、マイクロプロセッサ２．２は、コイル４，５側に切り替えられ、接触モードでの動作を継続することができなくなってしまう。
【００１０】
本発明は、前記従来技術が持っていた課題を解決し、接触モードで動作している時には、コイルに誘導された交流信号によって非接触モードに切り替えられることがないＩＣカードを提供するものである。
【００１１】
【課題を解決するための手段】
前記課題を解決するために、本発明は、電磁誘導作用によって非接触で電力供給を受けると共にデータ送受信を行うためのコイルと、電気的機械的な接触によって電力供給及び制御信号を受けると共にデータ送受信を行うための複数の電極とを備え、モード信号の指定に従って非接触モードまたは接触モードの動作を行うデュアルモード型のＩＣカードにおいて、次のようなモード指定手段を設けている。
【００１２】
即ち、このモード指定手段は、コイルで電力供給を受けたときはハイレベルの信号を、電力供給がないときはローレベルの信号を、第１のノードに出力するキャリア検出部と、前記第１のノードの信号レベルを反転する第１のインバータと、電極を介してＩＣカードのリセット状態を解除する制御信号であるリセット解除信号と該ＩＣカードの動作の基本となる制御信号であるクロック信号とが入力され、少なくとも一方が活性化したときにローレベルの信号を出力し、両方が不活性のときにはハイレベルの信号を出力する否定的論理和ゲート（以下、「ＮＯＲ」という）と、第２のノードと接地電位との間に接続され、前記否定的論理和ゲートの出力信号がローレベルのときにオフ状態となり、該出力信号がハイレベルのときにはオン状態となるトランジスタと、電源電圧と前記第２のノードとの間に並列接続されたクロック信号検出用の抵抗及びキャパシタと、前記第２のノードの信号レベルを反転する第２のインバータと、前記第１及び第２のインバータの出力信号と前記リセット解除信号の論理和をモード信号として出力する論理和ゲート（以下、「ＯＲ」という）とを備えている。
【００１３】
本発明によれば、以上のようにＩＣカードを構成したので、次のような作用が行われる。
このＩＣカードがカード読み書き装置にセットされ、接触モード用の電極からリセット解除信号またはクロック信号が与えられると、モード指定手段から接触モードを指定するモード信号が出力される。これにより、ＩＣカードは接触モードに設定され、電極を介して制御信号の受信とデータの送受信が行われる。この状態で、例えば雑音等により非接触モード用のコイルに電磁誘導作用が発生しても、モード指定手段から出力されるモード信号は変化せず、非接触モードに切り替えられることはない。
【００１４】
【発明の実施の形態】
図１は、本発明の実施形態を示すＩＣカードの概略の構成図である。
このＩＣカードは、非接触モードと接触モードを備えたデュアルモード型のものであり、非接触モード時にカード読み書き装置と電磁的に結合するためのコイル１１と、接触モード時にカード読み書き装置に接触して接続するための接続端子６０を備えている。
【００１５】
コイル１１は、電磁誘導作用によってカード読み書き装置から電力供給を受けると共に、このカード読み書き装置との間でデータ送受信を行うものである。コイル１１には共振用のキャパシタ１２が並列に接続され、カード読み書き装置側から電源及びデータとして与えられる搬送波ＣＡＲの周波数に同調するように定数が定められている。搬送波ＣＡＲは、例えばデータ信号速度１０６ｋｂ／ｓのデータによって、１３．５６ＭＨｚの正弦波を変調度１０％で振幅変調したもので、搬送波成分によって電力が伝送され、振幅変調成分によってデータが伝送されるようになっている。
【００１６】
コイル１１及びキャパシタ１２には、ブリッジ接続された全波整流用の４個のダイオード２１〜２４で構成される整流部２０が接続されている。整流部２０の−出力側は接地電位ＧＮＤに接続され、＋出力側は平滑用のキャパシタ２５と電源部２６に接続されている。電源部２６は、整流部２０の＋出力側に得られた直流電圧ＤＣＶから電圧変動のない一定の電源電圧ＶＣＣを生成し、ＩＣカード内の各部に供給する定電圧回路である。整流部２０の＋出力側及びコイル１１の一端には、キャリア検出部３０が接続されている。
【００１７】
キャリア検出部３０は、有効な搬送波ＣＡＲが受信されているか否かを検出するもので、コイル１１の一端に誘導された電圧を分圧して所定のレベルに低下させる抵抗３１，３２を有している。抵抗３１，３２の接続点には、ＮチャネルＭＯＳトランジスタ（以下、「ＮＭＯＳ」という）３３のゲートが接続されている。ＮＭＯＳ３３のソース及びドレインは、接地電位ＧＮＤ及びノードＮ１にそれぞれ接続されている。ノードＮ１と整流部２０の＋出力側の間には、負荷用の抵抗３４と搬送波ＣＡＲの周波数をバイパスさせるためのキャパシタ３５が並列に接続されている。
【００１８】
ノードＮ１には、更にインバータを構成するＰチャネルＭＯＳトランジスタ（以下、「ＰＭＯＳ」という）３６及びＮＭＯＳ３７のゲートが接続されている。ＰＭＯＳ３６のソース及びドレインは、それぞれ整流部２０の＋出力側及びノードＮ２に接続されている。また、ＮＭＯＳ３７のドレイン及びソースは、それぞれノードＮ２及び接地電位ＧＮＤに接続されている。そして、ノードＮ２からキャリア検出信号ＣＡＲＤが出力されるようになっている。ノードＮ２は、インバータ４１を介して、３入力のＯＲ４２の第１の入力側に接続されている。
【００１９】
整流部２０の＋出力側には、更に復調部４３が接続されている。復調部４３は、整流部２０で全波整流された直流電圧ＤＣＶ中に含まれるデータ成分を復調し、送られてきたデータを受信するものである。復調部４３の出力側は、中央処理装置（以下、「ＣＰＵ」という）５０に接続されている。
【００２０】
一方、接続端子６０は、カード読み書き装置側の接点に電気的機械的に接触して接触モードでの電源の受電や信号の授受を行う電極６１〜６５を有している。電極６１は電源電圧ＶＣＣを受電するもので、電極６２は共通の接地電位ＧＮＤに接続するためのものである。電極６１は電源部２６の出力側に接続され、接触モード時には、この電極６１からＩＣカード内の各部に電源電圧ＶＣＣが供給されるようになっている。電極６５はＣＰＵ５０に接続され、このＣＰＵ５０との間で直列にデータ送受信を行うものである。
【００２１】
また、電極６３は、カード読み書き装置側から与えられる動作の基準となる一定周波数（例えば、５ＭＨｚ）の制御信号（例えば、クロック信号）ＣＬＫを受信するものである。電極６４は、カード読み書き装置側から与えられる制御信号（例えば、リセット信号）／ＲＳＴ（但し、「／」は反転を意味する）を受信するものである。リセット信号／ＲＳＴがレベル“Ｌ”のとき、ＩＣカードは強制的にリセット状態にされて動作が停止させられ、レベル“Ｈ”のとき、リセット状態が解除されて動作可能な状態となる。電極６３，６４は、それぞれプルダウン用の抵抗６６，６７を介して接地電位ＧＮＤに接続されると共に、クロック検出部７０に接続されている。
【００２２】
クロック検出部７０は、電極６３に接続されるインバータ７１を有し、このインバータ７１の出力側が２入力のＮＯＲ７２の第１の入力側に接続されている。ＮＯＲ７２の第２の入力側には、電極６４が接続されている。ＮＯＲ７２の出力側はＮＭＯＳ７３のゲートに接続され、このＮＭＯＳ７３のソースが接地電位ＧＮＤに、ドレインがノードＮ３に接続されている。ノードＮ３は、負荷用の抵抗７４とクロック周波数成分をバイパスさせるためのキャパシタ７５を介して電源電圧ＶＣＣが与えられるようになっている。更に、ノードＮ３には、インバータ７６が接続され、このインバータ７６の出力側からクロック検出信号ＣＬＫＤが出力されるようになっている。
【００２３】
インバータ７６から出力されるクロック検出信号ＣＬＫＤと、電極６４に与えられるリセット信号／ＲＳＴは、ＯＲ４２の第２と第３の入力側に与えられるようになっている。そして、ＯＲ４２からモード信号ＭＯＤが出力され、ＣＰＵ５０に与えられるようになっている。モード信号ＭＯＤは、非接触モードのときに“Ｌ”、接触モードのときに“Ｈ”になる信号である。
【００２４】
このＩＣカードは、ＣＰＵ５０に接続されたＲＯＭ（読み出し専用メモリ）やＥＰＲＯＭ（書き込み可能な不揮発性メモリ）等のメモリ８０の他、図示していないが、非接触モードにおいてコイル１１に送信データを出力するための変調部、搬送波ＣＡＲから動作の基準となるクロック信号ＣＬＫを生成してＣＰＵ５０に与えるクロック再生部等を備えている。
【００２５】
図３は、図１のＩＣカードの外観を示す透視平面図である。
このＩＣカードは、図３に示すように、縦５４ｍｍ×横８６ｍｍ×厚さ０．７６ｍｍ程度のプラスチック製のカードに、ＣＰＵ５０、メモリ８０、整流部２０、電源部２６、キャリア検出部３０、及びクロック検出部８０等を集積回路化したＩＣチップと、コイル１１と、接続端子６０とを埋め込んだものである。接続端子６０の裏側にＩＣチップが張り付けられ、このＩＣチップの電極と接続端子６０の各電極がワイヤで接続されている。接続端子６０は、ＩＣカード上の所定の位置に配置されるように規定されている。一方、コイル１１の配置や大きさは、ＩＣカードの使用形態等によって異なっている。図３のＩＣカードでは、カードの周囲に３回巻き程度のコイル１１がパターン等で形成され、例えば１０ｃｍの距離から非接触モードでの動作が可能となっている。
【００２６】
図４（ａ），（ｂ）は、図１の動作を示す信号波形図である。以下、この図４を参照しつつ、図１の動作を、（１）非接触モード、及び（２）接触モードに分けて説明する。
【００２７】
（１）  非接触モード
非接触モードでは、ＩＣカードのコイル１１は、カード読み書き装置側のコイルと電磁的に結合される。一方、接続端子６０は無接続である。
【００２８】
図４（ａ）の時刻ｔ１において、カード読み書き装置側から出力された搬送波ＣＡＲがコイル１１とキャパシタ１２の同調回路で受信されると、この同調回路で受信された搬送波ＣＡＲは整流部２０で全波整流され、その＋出力側の直流電圧ＤＣＶが上昇する。直流電圧ＤＣＶは、キャリア検出部３０の電源として供給される。
【００２９】
時刻ｔ２において、直流電圧ＤＣＶが所定の電圧まで上昇すると、電源部２６から所定の電源電圧ＶＣＣが出力され、ＩＣカード内の各部に供給される。
キャリア検出部３０では、コイル１１で受信された搬送波ＣＡＲが、抵抗３１，３２で所定のレベルに分圧されてＮＭＯＳ３３のゲートに印加される。これにより、ＮＭＯＳ３３は搬送波ＣＡＲの周波数でオン／オフされる。ＮＭＯＳ３３の負荷には、抵抗３４とバイパス用のキャパシタ３５が並列に接続されているので、搬送波ＣＡＲが与えられている間、ノードＮ１は“Ｌ”となり、ノードＮ２から出力されるキャリア検出信号ＣＡＲＤは“Ｈ”となる。キャリア検出信号ＣＡＲＤはインバータ４１で反転され、“Ｌ”の信号Ｓ４１がＯＲ４２に与えられる。
【００３０】
一方、接続端子６０は無接続であるので、電極６３，６４は、それぞれ抵抗６６，６７を介してプルダウンされて“Ｌ”である。クロック検出部７０では、インバータ７１の出力信号が“Ｈ”になり、ＮＯＲ７２の出力信号が“Ｌ”になる。従って、ＮＭＯＳ７３はオフ状態になり、ノードＮ３は“Ｈ”となって、インバータ７６から出力されるクロック検出信号ＣＬＫＤは“Ｌ”となる。
これにより、“Ｌ”のクロック検出信号ＣＬＫＤとリセット信号／ＲＳＴがＯＲ４２に与えられ、このＯＲ４２から出力されるモード信号ＭＯＤは“Ｌ”となり、ＣＰＵ５０は非接触モードに設定される。
【００３１】
時刻ｔ３において、搬送波ＣＡＲのレベルが低下すると、電源部２６からの電源電圧ＶＣＣが停止し、ＩＣカードの動作は停止する。
【００３２】
（２）  接触モード
接触モードでは、ＩＣカードはカード読み書き装置にセットされ、電極６１〜６５は、カード読み書き装置側の接点に接触して接続される。一方、コイル１１には、搬送波ＣＡＲは与えられない。
【００３３】
図４（ｂ）の時刻Ｔ１において、カード読み書き装置側から電極６１に電源電圧ＶＣＣが与えられると、この電源電圧ＶＣＣはＩＣカード内の各部に供給される。この時点では、電極６３，６４に与えられるクロック信号ＣＬＫとリセット信号／ＲＳＴは、共に“Ｌ”である。従って、クロック検出部７０のＮＯＲ７２の出力信号Ｓ７２は“Ｌ”、ノードＮ３の信号は“Ｈ”となり、クロック検出信号ＣＬＫＤは“Ｌ”である。一方、キャリア検出部３０には、直流電圧ＤＣＶが供給されないので、キャリア検出信号ＣＡＲＤは“Ｌ”となり、信号Ｓ４１は“Ｈ”となる。これにより、モード信号ＭＯＤは“Ｈ”となり、ＣＰＵ５０は、接触モードに設定される。
【００３４】
時刻Ｔ２において、電極６３を通してクロック信号ＣＬＫの供給が開始されると、クロック検出部７０のＮＯＲ７２の出力側には、このクロック信号ＣＬＫが信号Ｓ７２として出力される。これにより、ＮＭＯＳ７３は、クロック信号ＣＬＫの周波数でオン／オフされる。ＮＭＯＳ７３の負荷には、抵抗７４とバイパス用のキャパシタ７５が並列に接続されているので、所定のレベルの信号Ｓ７２が与えられている間、ノードＮ３は“Ｌ”となり、クロック検出信号ＣＬＫＤは“Ｈ”となる。この時、ＯＲ４２から出力されるモード信号ＭＯＤは、既に“Ｈ”となっているので、接触モードに変化はない。
【００３５】
時刻Ｔ３において、電極６４を通して与えられるリセット信号／ＲＳＴが“Ｈ”になって、リセット状態が解除されると、クロック検出部７０のＮＯＲ７２の出力信号Ｓ７２は“Ｌ”となる。これにより、ＮＭＯＳ７３はオフ状態となってクロック検出動作が停止され、ノードＮ３は“Ｈ”となり、クロック検出信号ＣＬＫＤは“Ｌ”となる。この時、リセット信号／ＲＳＴと信号Ｓ４１は“Ｈ”となっているので、モード信号ＭＯＤは“Ｈ”で、接触モードに変化はない。
【００３６】
時刻Ｔ４から時刻Ｔ５までの間、コイル１１に搬送波ＣＡＲ等の強力な交流信号が誘導されたとする。非接触モードの動作で説明したように、コイル１１に誘導された搬送波ＣＡＲ等によって直流電圧ＤＣＶがキャリア検出部３０に与えられ、このキャリア検出部３０から出力されるキャリア検出信号ＣＡＲＤは“Ｈ”となり、信号Ｓ４１は“Ｌ”となる。しかし、リセット信号／ＲＳＴは“Ｈ”となっているので、モード信号ＭＯＤは“Ｈ”で、接触モードに変化はない。
【００３７】
時刻Ｔ６において、リセット信号／ＲＳＴが“Ｌ”になってリセット状態になると、クロック検出部７０のＮＯＲ７２の出力側に、クロック信号が信号Ｓ７２として出力され、ノードＮ３は“Ｌ”となる。これにより、クロック検出信号ＣＬＫＤは“Ｈ”となるが、モード信号ＭＯＤは“Ｈ”となっているので、接触モードに変化はない。
【００３８】
時刻Ｔ７において、クロック信号ＣＬＫが停止すると、クロック検出部７０のＮＯＲ７２から出力される信号Ｓ７２は“Ｌ”となり、ノードＮ３は“Ｈ”となてクロック検出信号ＣＬＫＤは“Ｌ”となる。この時、キャリア検出部３０のキャリア検出信号ＣＡＲＤは“Ｌ”となっているので、モード信号ＭＯＤは“Ｈ”で、接触モードに変化はない。
【００３９】
時刻Ｔ８において、カード読み書き装置側から電極６１に与えられる電源電圧ＶＣＣが停止すると、ＩＣカードの動作は完全に停止される。
このように、本実施形態のＩＣカードは、キャリア検出信号ＣＡＲＤに対して、クロック検出信号ＣＬＫＤ及びリセット信号／ＲＳＴを優先させるためのインバータ４１及びＯＲ４２を有している。これにより、接触モードで動作しているときに、交流信号等の誘導によってキャリア検出信号ＣＡＲＤが“Ｈ”になっても、非接触モードに切り替えられることがない。
【００４０】
更に、クロック検出部７０において、リセット信号／ＲＳＴが解除されて“Ｈ”になったときに、クロック検出動作を停止させるためのＮＯＲ７２を有している。これにより、リセット解除状態ではＮＭＯＳ７３がオフ状態となって、クロック検出部７０における消費電力を低減することができる。
【００４１】
なお、本発明は、上記実施形態に限定されず、種々の変形が可能である。この変形例としては、例えば、次の（ａ）〜（ｅ）のようなものがある。
（ａ）  キャリア検出部３０の回路構成は、図１中の回路に限定されない。コイル１１で受信した信号中の搬送波周波数成分を検出することができるものであれば、どのような回路でも同様に適用可能である。
【００４２】
（ｂ）  クロック検出部７０の回路構成は、図１中の回路に限定されない。電極６３から与えられるクロック信号ＣＬＫを検出することができるものであれば、どのような回路でも同様に適用可能である。例えば、インバータ７１及びＮＯＲ７２を省略して、クロック信号ＣＬＫをＮＭＯＳ７３のゲートに直接与えるように構成しても良い。
【００４３】
（ｃ）  接触モードを優先とするモード信号ＭＯＤを出力するために、クロック信号ＣＬＫとリセット信号／ＲＳＴを用いているが、クロック検出部７０を削除してリセット信号／ＲＳＴのみを用いていも良い。その場合には、３入力のＯＲ４２に代えて２入力のＯＲを用い、その第１の入力側に信号Ｓ４１を、第２の入力側にリセット信号／ＲＳＴを与えるようにすれば良い。
【００４４】
（ｄ）  接触モードを優先とするモード信号ＭＯＤを出力するために、クロック信号ＣＬＫとリセット信号／ＲＳＴを用いているが、クロック検出信号ＣＬＫＤのみを用いても良い。その場合には、例えばインバータ７１及びＮＯＲ７２を削除したクロック検出部を用いると共に、３入力のＯＲ４２に代えて２入力のＯＲを使用し、この２入力のＯＲの第１の入力側に信号Ｓ４１を、第２の入力側にクロック検出信号ＣＬＫＤを与えるようにすれば良い。
【００４５】
（ｅ）  接触モードを優先とするモード信号ＭＯＤを出力するために、キャリア検出信号ＣＡＲＤを反転するインバータ４１と、このインバータ４１の出力信号Ｓ４１、クロック検出信号ＣＬＫＤ、及びリセット信号／ＲＳＴの論理和をとってモード信号ＭＯＤを出力する３入力のＯＲ４２を使用しているが、このような構成に限定するものではない。即ち、キャリア検出信号ＣＡＲＤ、クロック検出信号ＣＬＫＤ、及びリセット信号／ＲＳＴの論理レベルが異なれば、それに対応した論理ゲートで構成する必要がある。
【００４６】
【発明の効果】
以上詳細に説明したように、本発明によれば、接触モード用の電極を介してリセット解除信号またはクロック信号が与えられたときに、非接触モード用のコイルにおける電磁誘導作用の有無にかかわらず接触モードを指定するモード指定手段を有している。これにより、接触モードが優先されて、コイルに交流信号等が誘導されても非接触モードに切り替わることを防止することができる。
更に、このモード指定手段は、リセット解除信号が与えられたときにトランジスタ（ＮＭＯＳ７３）をオフ状態にしてクロック検出動作を停止させるＮＯＲ７２を有している。これにより、リセット解除状態での消費電力が低減できるという効果がある。
【図面の簡単な説明】
【図１】本発明の実施形態を示すＩＣカードの概略の構成図である。
【図２】従来のＩＣカードの概略の構成図である。
【図３】図１のＩＣカードの外観を示す透視平面図である。
【図４】図１の動作を示す信号波形図である。
【符号の説明】
１１    コイル
２０    整流部
２６    電源部
３０    キャリア検出部
４１    インバータ
４２    ＯＲ（論理和ゲート）
５０    ＣＰＵ（中央処理装置）
６０    接続端子
６１〜６５    電極
７０    クロック検出部
８０    メモリ
【図１】
0003657178.tif 000002
【図２】
0003657178.tif 000003
【図３】
0003657178.tif 000004
【図４】
0003657178.tif 000005